(57)【特許請求の範囲】
【請求項１】
二酸化炭素ガス供給源からの気体を装置内に導き、該装置内で前記気体の圧力を所定値に保持しつつ人体または動物の体腔内に送気を行う送気装置であって、
前記装置内に、供給された気体を減圧する第１の減圧器と、この第１の減圧器の下流に設けられ供給された気体を減圧する第２の減圧器とを有すると共に、
前記第１の減圧器の上流側で二酸化炭素ガスを供給する第１の気体供給手段と、
前記第１の減圧器と前記第２の減圧器との間で二酸化炭素ガスを供給する第２の気体供給手段と、
前記装置内に供給された気体の圧力に応じて前記第１及び第２の気体供給手段を切り換える制御手段と、
を備えたことを特徴とする送気装置。
【請求項２】
高圧の二酸化炭素ガス供給源と低圧の二酸化炭素ガス供給源とのいずれにも接続可能であり、供給される気体を装置内に導き、該装置内で前記気体の圧力を所定値に保持しつつ人体または動物の体腔内に送気を行う送気装置であって、
前記高圧の気体供給源による高圧気体が供給された場合と、前記低圧の気体供給源による低圧気体が供給された場合とで出力圧値が概略等しくなるよう設定され、供給された気体を減圧して出力する第１の減圧器と、
前記第１の減圧器より供給される気体の圧力を減圧制御して出力する第２の減圧器と、
を備えたことを特徴とする送気装置。
【請求項３】
前記第１の減圧器は、前記高圧の気体供給源による高圧気体が供給された場合と、前記低圧の気体供給源による低圧気体が供給された場合とで出力圧値が概略等しくなるよう、該減圧器内部のバネのバネ定数および弁の開閉ストロークが設定されていることを特徴とする請求項２記載の送気装置。
【発明の詳細な説明】
【０００１】
【発明の属する技術分野】
本発明は、人体または動物の体内に気体を注入する送気装置、更に詳しくは、二酸化炭素等のガスを体内へ送気して腹部を膨らませ、内視鏡による腹腔内の観察や治療の際、内視鏡の視野を確保する気腹装置用の送気装置に関する。
【０００２】
【従来の技術】
一般に医療分野において、例えば内視鏡観察下で患者の腹腔内の医療処置をする場合には、従来より処置する腹腔内に炭酸ガス等の気体を注入して腹部を膨らませ、処置に必要な観察視野を確保できるような方法が採られている。腹腔内への気体の注入には、ガスボンベ等の気体供給源からの気体を、減圧器や電磁弁および圧力センサ等によって圧力制御しながら送気し、腹腔内を設定圧に保つ気腹装置が使用される。
【０００３】
このような気腹装置の送気装置としては、例えば特公平２−１４８４３号公報に開示されているように、ガス流量一定の条件下で測定した送気時の圧力を基に腹腔内静圧を比較的簡単かつ正確に求めることができる装置が提案されている。
【０００４】
一般に送気装置へのガスの供給は、液化した二酸化炭素等を充填した高圧ガスボンベを接続することにより行われる。一般的な高圧ガスボンベ内の圧力は常温で約６ＭＰａ（６０ｋｇｆ／ｃｍ2 ）である。一方、手術室内へのガスの供給には、低圧の集中ガス配管を用いる場合もある。このように低圧で供給される二酸化炭素等の圧力は約０．４ＭＰａ（４ｋｇｆ／ｃｍ2 ）である。
【０００５】
前記特公平２−１４８４３号公報に示されるような従来の装置では、前記のような低圧の気体供給源を高圧ガスボンベ用の送気装置に接続した場合、送気流量が低下するなどの送気制御上の問題が生じることがあるため、腹腔内視野の低下等を招き、手術等の処置に支障をきたしてしまうおそれがある。
【０００６】
【発明が解決しようとする課題】
前述したように、特公平２−１４８４３号公報に示されるような従来の構成では、手術室内へのガス供給配管などの低圧の気体供給源を高圧ガスボンベ用の送気装置に接続した場合、送気流量の低下とか、管路内の減圧値の変動による不具合など送気制御上の問題が生じることがある。例えば特公平２−１４８４３号公報に示される装置では、第１減圧器の減圧値が高くなり、安全バルブが働いてしまうおそれがある。これは、入力側の圧力が小さくなると出力側の圧力値は高くなるという減圧器の特性による。
【０００７】
従って、従来の装置では前記送気制御上の問題のために腹腔内視野の低下等を招き、手術等の処置に支障をきたしてしまうという問題点があった。
【０００８】
本発明は、これらの事情に鑑みてなされたもので、高圧の気体供給源、低圧の気体供給源のいずれを接続した場合においても、不具合を生じることなく送気制御を行うことが可能な送気装置を提供することを目的としている。
【０００９】
【課題を解決するための手段】
本発明による送気装置は、二酸化炭素ガス供給源からの気体を装置内に導き、該装置内で前記気体の圧力を所定値に保持しつつ人体または動物の体腔内に送気を行う送気装置であって、
前記装置内に、供給された気体を減圧する第１の減圧器と、この第１の減圧器の下流に設けられ供給された気体を減圧する第２の減圧器とを有すると共に、前記第１の減圧器の上流側で二酸化炭素ガスを供給する第１の気体供給手段と、前記第１の減圧器と前記第２の減圧器との間で二酸化炭素ガスを供給する第２の気体供給手段と、前記装置内に供給された気体の圧力に応じて前記第１及び第２の気体供給手段を切り換える制御手段と、を備えたものである。
また、本発明による送気装置は、高圧の二酸化炭素ガス供給源と低圧の二酸化炭素ガス供給源とのいずれにも接続可能であり、供給される気体を装置内に導き、該装置内で前記気体の圧力を所定値に保持しつつ人体または動物の体腔内に送気を行う送気装置であって、
前記高圧の気体供給源による高圧気体が供給された場合と、前記低圧の気体供給源による低圧気体が供給された場合とで出力圧値が概略等しくなるよう設定され、供給された気体を減圧して出力する第１の減圧器と、前記第１の減圧器より供給される気体の圧力を減圧制御して出力する第２の減圧器と、を備えたものであり、前記第１の減圧器は、前記高圧の気体供給源による高圧気体が供給された場合と、前記低圧の気体供給源による低圧気体が供給された場合とで出力圧値が概略等しくなるよう、該減圧器内部のバネのバネ定数および弁の開閉ストロークが設定されている。
【００１０】
【発明の実施の形態】
以下、図面を参照して本発明の実施の形態を説明する。
図１は本発明の第１の実施形態に係る送気装置の全体構成を示した構成説明図である。
【００１１】
本実施形態の送気装置１は、内視鏡観察下で患者の腹腔内の医療処置を行う際に用いる気腹装置の構成例である。送気装置１は、高圧の気体供給源を接続する接続口金２が設けられ、この接続口金２に高圧接続ホース３を介して単数もしくは複数の液体二酸化炭素が充填されているボンベ４が接続される。またこの送気装置１は、低圧の気体供給源を接続する接続口金５が設けられ、この接続口金５に低圧接続ホース６を介して手術室内の壁に設けられた低圧配管口金７が接続される。
【００１２】
この送気装置１は、気腹針やトラカール等の気腹用挿入具を接続する送気口金８を有し、この送気口金８に気腹チューブ９を介して気腹用トラカール１０が接続される。この気腹用トラカール１０を患者１１の腹腔内に刺入して二酸化炭素ガスを注入することができるようになっている。
【００１３】
前記接続口金２の送気装置１の内部側には、高圧管路１２を介して第１の減圧器１３が接続される。また、この高圧管路１２にはボンベ圧センサ１４が接続されている。第１の減圧器１３は、内部管路１５及び第１の閉止弁１６を介して第２の減圧器１７に接続されている。第２の減圧器１７からの二酸化炭素ガスを下流に導く内部管路１９は、流量センサ２５及び送気制御バルブ２０を経由して送気口金８に接続される。送気制御バルブ２０と送気口金８との間の内部管路１９には、圧力センサ２１が接続されている。
【００１４】
前記接続口金５の送気装置１の内部側には、低圧管路２２が接続され、この低圧管路２２は第２の閉止弁２３を介して前記第１の閉止弁１６と第２の減圧器１７との間の内部管路１５に設けられた分岐部１８に接続される。
【００１５】
前記ボンベ圧センサ１４、前記第１及び第２の閉止弁１６，２３、流量センサ２５、送気制御バルブ２０、圧力センサ２１は、全て送気装置１の動作制御を行う制御部２４に電気的に接続されている。また、制御部２４には送気装置１の筐体外側に設けられた操作部２６が接続されている。
【００１６】
このように構成された送気装置１において、高圧の気体供給源であるボンベ４からの二酸化炭素ガスの供給により送気制御を行う場合の動作を説明する。
【００１７】
高圧接続ホース３及び高圧管路１２を介して第１の減圧器１３に供給される二酸化炭素ガスの圧力は、例えば約２５°Ｃの室温時に約６ＭＰａの圧力で高圧ガスが供給された場合、第１の減圧器１３によって約０．４ＭＰａに減圧される。減圧された二酸化炭素ガスは、第１の閉止弁１６を介して第２の減圧器１７に供給される。
【００１８】
ここで、第１の閉止弁１６の動作に関して説明する。制御部２４は、ボンベ圧センサ１４で測定した値が１ＭＰａ（１０ｋｇｆ／ｃｍ2 ）を超えている場合に、第１の閉止弁１６を開いて下流に二酸化炭素ガスを供給する。このとき、第２の減圧器１７に供給された二酸化炭素ガスは約８０mmＨｇに減圧される。減圧された二酸化炭素ガスは制御部２４からの信号によって送気制御バルブ２０を開閉することで患者１１の腹腔内に送気される。
【００１９】
このときのバルブ開閉制御は次のように行われる。まず、術者は操作部２６を操作し、患者の腹腔内圧力及び送気する流量を設定する。このように操作部２６を操作して装置の動作制御を開始すると、流量センサ２５と圧力センサ２１の出力値が制御部２４に取り込まれ、制御部２４はこの値と前記操作部２６による設定値とを比較してバルブ開閉時間の比率を演算し、制御信号を送気制御バルブ２０に送る。これにより、送気制御バルブ２０は開かれて送気がなされる。そして、圧力センサ２１の出力値より算出される患者１１の腹腔内の圧力が前記設定値と等しくなるまで上昇すると、送気制御バルブ２０は閉じられて送気が停止される。なお、送気制御バルブ２０を閉じた後も圧力センサ２１により腹腔内の圧力を測定し続ける。その後、ガスのリークによって腹腔内の圧力が設定値を下回った場合は、制御部２４は送気制御バルブ２０に制御信号を送り、再び送気制御バルブ２０を開いて送気を行う。
【００２０】
次に、低圧の気体供給源である低圧配管口金７から二酸化炭素ガスを供給する場合の動作を説明する。
【００２１】
この場合、ボンベ４は接続されておらず、高圧管路１２内の圧力、すなわちボンベ圧センサ１４の測定値は０（＝大気圧）となる。ボンベ圧センサ１４の出力値が１ＭＰａ以下の場合は、第１の閉止弁１６は閉じられ、第２の閉止弁２３が開かれる。この結果、低圧配管口金７から供給される約０．４ＭＰａの圧力の二酸化炭素ガスが第２の減圧器１７に供給される。
【００２２】
このとき、第２の減圧器に供給される二酸化炭素ガスの圧力は、前記ボンベ４を接続した場合における、第１の減圧器による減圧値と等しくなる。このため、第２の減圧器１７から下流の管路における圧力制御の状態はボンベ４を接続した場合も、低圧配管口金７を接続した場合も同じになる。
【００２３】
また、ボンベ４が接続されている場合で、ボンベ４から供給される二酸化炭素ガスの圧力が低下した場合の動作に関して述べる。二酸化炭素ガスの圧力はボンベ４内の液化二酸化炭素が無くなると急激に減少する。高圧管路１２内の圧力が１ＭＰａ以下の圧力に降下した場合は、前述の通り第１の閉止弁１６を閉じ、第２の閉止弁２３を開けるように制御する。
【００２４】
しかしこの場合、低圧配管口金７は接続されていないために送気装置１に対しては二酸化炭素ガスが供給されない状況になる。よって、送気制御バルブ２０を開いても二酸化炭素ガスは流れず、流量センサ２５の出力値は０となる。このようなときは二酸化炭素ガス供給状態が異常であるとして、操作部２６に設けた図示しない警告表示灯と発音手段等により警告を行う。
【００２５】
なお、二酸化炭素ガス供給状態の異常検出のために、低圧管路２２中にも圧力センサを設け、ボンベ圧と低圧配管の圧力の両者を直接検出するようにしても良い。また、第１及び第２の閉止弁１６，２３に代えて、分岐部１８に三方弁を設けて管路を選択するようにしても良い。
【００２６】
以上述べた通り第１の実施形態によれば、高圧のガスを供給するボンベを接続した場合も、手術室の低圧ガス配管を接続した場合も、不具合なく送気制御が行えるために、支障をきたすこと無く手術等の処置を行うことが可能となる。
【００２７】
図２は本発明の第２の実施形態に係る送気装置の全体構成を示した構成説明図である。
【００２８】
第２の実施形態は、ボンベ４からのガス供給管路である高圧管路１２と低圧配管口金７からの供給管路である低圧管路２２との切換えを、メカ式の逆止弁で行うように構成したものである。高圧管路１２及び低圧管路２２には、気体入口近傍にそれぞれ逆止弁２８，２９が設けられている。これらの逆止弁２８，２９の作動圧力（クラッキング圧力）は、高圧用の逆止弁２８は１ＭＰａ（１０ｋｇｆ／ｃｍ2 ）、低圧用の逆止弁２９は０．３ＭＰａ（３ｋｇｆ／ｃｍ2 ）である。
【００２９】
このように第１の閉止弁１６と第２の閉止弁２３の代わりに逆止弁２８，２９を設けた以外は第１の実施形態と同様に構成されており、説明を省略する。
【００３０】
上記構成において、接続口金２にボンベ４を接続した場合は、高圧管路１２に約６ＭＰａの圧力が加わるために、逆止弁２８が開いて下流に二酸化炭素ガスが供給される。またこの場合、逆止弁２９には閉じる方向に圧力が加わるために、接続口金５から二酸化炭素ガスがリークすることはない。
【００３１】
一方、接続口金５に低圧配管口金７を接続した場合は、約０．４ＭＰａの圧力が加わるために、逆止弁２９が開いて下流に二酸化炭素ガスが供給される。またこの場合、逆止弁２８には閉じる方向に圧力が加わるために、接続口金２から二酸化炭素ガスがリークすることはない。
【００３２】
以上述べたように第２の実施形態ではメカ式の逆止弁を用いて供給管路の選択を行うことにより、管路の切換えに閉止弁を開閉するなどの電気的な制御が不要となる。このため、制御回路を簡略化でき、装置のコストを低減することが可能である。
【００３３】
図３は本発明の第３の実施形態に係る接続口金近傍の構成を示した構成説明図である。
【００３４】
第３の実施形態は、第２の実施形態における接続口金２及び５付近の構成を変更した変形例である。
【００３５】
送気装置１の背面パネル３０には、内部に連結部材３１が取り付けられている。この連結部材３１には、接続口金２及び５が螺合して取り付けられており、背面パネル３０に設けられた逃げ穴を貫通して接続口金２，５が外部に向かって突出している。また、連結部材３１の接続口金２，５と反対側には、逆止弁２８，２９が螺合して取り付けられている。これらの接続口金２と逆止弁２８、接続口金５と逆止弁２９は、それぞれ連結部材３１の内部に加工された管路を介して接続される。逆止弁２８及び逆止弁２９の下流の構成は第２の実施形態と同じであり、説明を省略する。
【００３６】
上記構成において、接続口金２，５から供給される二酸化炭素ガスは、連結部材３１の内部管路、逆止弁２８，２９を介して下流の管路に供給される。
【００３７】
このように第３の実施形態では、接続口金２，５と逆止弁２８，２９を連結部材３１に一括して固定し、更に配管を用いずに連結部材３１の内部管路を用いてそれぞれを接続するようにしたため、製造コストを低減できる。
【００３８】
図４は本発明の第４の実施形態に係る送気装置の全体構成を示した構成説明図である。
【００３９】
第４の実施形態は、送気装置１の接続口金を一個のみ設けて、ボンベ４からの高圧ガスと低圧配管口金７からの低圧ガスのどちらでも接続できるようにした構成例である。
【００４０】
送気装置１には接続口金３２が設けられ、この接続口金３２には高圧接続ホース３または低圧接続ホース６が接続される。接続口金３２の送気装置１の内部側には、内部管路３３が配設され、この内部管路３３の他端には三方弁３４が接続される。また、内部管路３３にはボンベ圧センサ１４が接続されている。
【００４１】
三方弁３４の常時開側ポート３４ａには、第１の減圧器１３を介して三方弁３５の常時閉側ポート３５ｂに接続される内部管路３６が接続されている。また、三方弁３４の常時閉側ポート３４ｂには、三方弁３５の常時開側ポート３５ａに接続される内部管路３７が接続されている。三方弁３５の下流側には、内部管路３８を介して第２の減圧器１７が接続される。これらの三方弁３４，３５は、制御部２４に電気的に接続されている。
【００４２】
第２の減圧器１７の下流側の構成は第１の実施形態と同様であり、説明を省略する。
【００４３】
上記構成において、接続口金３２にボンベ４を接続した場合であって、ボンベ圧センサ１４での測定値が１ＭＰａを超える場合は、三方弁３４の常時開側ポート３４ａ、三方弁３５の常時閉側ポート３５ｂ側のポートがそれぞれ選択されるように制御部２４より制御信号が送出される。この結果、ボンベ４から供給される高圧ガスは、三方弁３４，内部管路３６，第１の減圧器１３，三方弁３５，内部管路３８を介して第２の減圧器１７に供給される。
【００４４】
また、ボンベ４の圧力が１ＭＰａ以下の場合または接続口金３２に低圧配管口金７が接続された場合であって、ボンベ圧センサ１４での測定値が１ＭＰａ以下の場合は、三方弁３４の常時閉側ポート３４ｂ、三方弁３５の常時開側ポート３５ａ側のポートがそれぞれ選択されるように制御部２４より制御信号が送出される。この結果、ボンベ４または低圧配管口金７から供給される低圧ガスは、三方弁３４，内部管路３７，三方弁３５，内部管路３８を介して第２の減圧器１７に供給される。
【００４５】
第２の減圧器１７以降の作用に関しては第１の実施形態と同様である。
【００４６】
以上述べたように第４の実施形態では接続口金を一つだけ設けるようにしたため、送気装置の取扱いが簡単になり、誤接続の危険性もなくすことができる。
【００４７】
図５ないし図７は本発明の第５の実施形態に係り、図５は送気装置の主要部の構成を示した構成説明図、図６は第１の減圧器の入力圧−出力圧特性を示す特性図、図７は変形例における第１の減圧器の入力圧−出力圧特性を示す特性図である。
【００４８】
第５の実施形態は、ボンベ４を接続した場合と、低圧配管口金７を接続した場合とで、送気装置内部の管路を切り換えることなく送気制御を可能とした構成例である。
【００４９】
図５に示すように、送気装置１には接続口金３７が設けられ、この接続口金３７には高圧接続ホース３または低圧接続ホース６が接続される。接続口金３７の送気装置１の内部側には、内部管路３８が配設され、この内部管路３８の他端には第１の減圧器４１が接続される。また、内部管路３８にはボンベ圧センサ１４が接続されている。第１の減圧器４１の下流には内部管路４０が接続され、この内部管路４０は第２の減圧器３９を経由して図示しない流量センサ２５に接続される。流量センサ２５以降の構成は第１の実施形態と同様であり、説明を省略する。
【００５０】
次に、図６を用いて第１の減圧器４１の出力特性を説明する。第１の減圧器４１の出力圧は、次の２つの要因によって変動する。
（１）低圧配管口金７より供給される二酸化炭素ガスの圧力変動、例えば０．４±０．０５ＭＰａ（図６中の圧力範囲Ａ）
（２）ボンベ４より供給される二酸化炭素ガスの圧力変動、例えば１〜７ＭＰａ（図６中の圧力範囲Ｂ）
【００５１】
第１の減圧器４１の出力特性は、前記圧力範囲Ａ，Ｂにおいて、圧力制御上の許容出力範囲（図６中の圧力範囲Ｃ）に入るよう設計されている。この出力特性設定は、一般的には減圧器内部のバネのバネ定数、弁の開閉ストローク等を変えることにより達成される。
【００５２】
このように第１の減圧器４１の出力特性を設定することにより、接続口金３７にボンベ４が接続された場合、低圧配管口金７が接続された場合のいずれであっても、第１の減圧器４１に供給される二酸化炭素ガスが高圧、低圧いずれのときも第１の減圧器４１から出力される二酸化炭素ガスの圧力は圧力制御上問題がない許容範囲内となる。
【００５３】
なお第５の実施形態の変形例として、第１の減圧器４１以外の構成を変更し、図７に示すように、圧力制御上の許容出力範囲Ｃを広げて、６ＭＰａ付近から０．４ＭＰａまでの全ての入力圧の範囲に対する出力圧の範囲を許容範囲とするように構成すれば、ボンベより供給される二酸化炭素ガスの圧力変動の許容範囲を広げることができる。
【００５４】
上述したように第５の実施形態によれば、少ない構成部品で、手術等の処置に支障を生じないような所望の送気制御が行えるため、装置コストの低減を実現できる。
【００５５】
以上説明したように第１ないし第５の実施形態によれば、高圧のガス供給源を接続した場合、低圧のガス供給源を接続した場合のいずれであっても、問題なく送気制御を行うことができ、これにより、支障をきたすこと無く手術等の処置を行うことが可能となる。
【００５６】
［付記］
（１）  気体供給源からの気体を装置内に導き、該装置内で前記気体の圧力を所定値に保持しつつ人体または動物の体腔内に送気を行う送気装置であって、
前記装置内に、供給された気体を減圧する第１の減圧器と、この第１の減圧器の下流に設けられ供給された気体を減圧する第２の減圧器とを有すると共に、
前記第１の減圧器の上流側に気体を供給する第１の気体供給手段と、
前記第１の減圧器と前記第２の減圧器との間に気体を供給する第２の気体供給手段と、
前記装置内に供給された気体の圧力に応じて前記第１及び第２の気体供給手段を切り換える制御手段と、
を備えたことを特徴とする送気装置。
【００５７】
（２）  気体供給源からの気体を装置内に導き、該装置内で前記気体の圧力を所定値に保持しつつ人体または動物の体腔内に送気を行う送気装置であって、
前記装置内に、供給された気体を減圧する第１の減圧器と、この第１の減圧器の下流に設けられ供給された気体を減圧する第２の減圧器とを有すると共に、
前記装置内に供給された気体の圧力に応じて、高圧の気体が供給された場合は前記第１の減圧器に気体を供給し、低圧の気体が供給された場合は前記第２の減圧器に気体を供給する気体供給制御手段を備えたことを特徴とする送気装置。
【００５８】
（３）  前記装置内への気体の供給手段として単一の接続口金を備え、
前記接続口金からの気体を前記第１の減圧器または第２の減圧器へ導くために該装置内部の管路を切り換える管路切換手段と、
前記接続口金より装置内へ供給された圧力を検出する圧力検出手段と、を備えており、
前記制御手段は、前記圧力検出手段により検出された圧力を基にして前記管路切換手段を制御することを特徴とする付記１に記載の送気装置。
【００５９】
（４）  前記装置内への気体の供給手段として、装置筐体に高圧用の接続口金と低圧用の接続口金とを備えたことを特徴とする付記１に記載の送気装置。
【００６０】
（５）  前記高圧用の接続口金は前記第１の減圧器の上流の管路に接続され、前記低圧用の接続口金は前記第１の減圧器と第２の減圧器との間の管路に接続されることを特徴とする付記４に記載の送気装置。
【００６１】
（６）  前記高圧用の接続口金からの気体の供給管路を開閉する第１の管路開閉手段と、前記低圧用の接続口金からの気体の供給管路を開閉する第２の管路開閉手段と、を設けたことを特徴とする付記５に記載の送気装置。
【００６２】
（７）  前記装置内へ供給された圧力を検出する圧力検出手段を備え、
前記制御手段は、前記圧力検出手段により検出された圧力を基にして前記第１及び第２の管路開閉手段を制御することを特徴とする付記６に記載の送気装置。
【００６３】
（８）  前記第１及び第２の管路開閉手段はメカ式の逆止弁であることを特徴とする付記６に記載の送気装置。
【００６４】
（９）  前記第１及び第２の管路開閉手段は電磁弁であることを特徴とする付記６に記載の送気装置。
【００６５】
（１０）  高圧の気体供給源または低圧の気体供給源のいずれかからの気体を装置内に導き、該装置内で前記気体の圧力を所定値に保持しつつ人体または動物の体腔内に送気を行う送気装置であって、
前記装置内での気体の圧力を制御する減圧器を備え、該減圧器の出力圧値を、前記高圧の気体供給源による高圧気体が供給された場合と、前記低圧の気体供給源による低圧気体が供給された場合とで概略等しくなるよう設定したことを特徴とする送気装置。
【００６６】
（１１）  液化二酸化炭素が充填されたボンベまたは手術室に設けられた低圧配管口金のいずれか一方からの気体を装置内に導き、該装置内で前記気体の圧力を所定値に保持しつつ送気を行って人体または動物の体腔を所望の圧力に拡張する送気装置であって、
前記装置内での気体の圧力を制御する減圧器を備え、該減圧器の出力圧値を、前記高圧の気体供給源による高圧気体が供給された場合と、前記低圧の気体供給源による低圧気体が供給された場合とで概略等しくなるよう設定したことを特徴とする送気装置。
【００６７】
【発明の効果】
以上説明したように本発明によれば、高圧の気体供給源、低圧の気体供給源のいずれを接続した場合においても、不具合を生じることなく送気制御を行うことが可能となる効果がある。
【図面の簡単な説明】
【図１】本発明の第１の実施形態に係る送気装置の全体構成を示した構成説明図
【図２】本発明の第２の実施形態に係る送気装置の全体構成を示した構成説明図
【図３】本発明の第３の実施形態に係る接続口金近傍の構成を示した構成説明図
【図４】本発明の第４の実施形態に係る送気装置の全体構成を示した構成説明図
【図５】本発明の第５の実施形態に係る送気装置の主要部の構成を示した構成説明図
【図６】第５の実施形態における第１の減圧器の入力圧−出力圧特性を示す特性図
【図７】第５の実施形態の変形例における第１の減圧器の入力圧−出力圧特性を示す特性図
【符号の説明】
１…送気装置
２，５…接続口金
４…ボンベ
７…低圧配管口金
８…送気口金
１２…高圧管路
１３…第１の減圧器
１４…ボンベ圧センサ
１６…第１の閉止弁
１７…第２の減圧器
１８…分岐部
２０…送気制御バルブ
２１…圧力センサ
２２…低圧管路
２３…第２の閉止弁
２４…制御部
２５…流量センサ
２６…操作部
【図１】
0003668344.tif 000002
【図２】
0003668344.tif 000003
【図３】
0003668344.tif 000004
【図４】
0003668344.tif 000005
【図５】
0003668344.tif 000006
【図６】
0003668344.tif 000007
【図７】
0003668344.tif 000008